(57)【特許請求の範囲】
【請求項１】
無線によりデジタルデータの受信を行う通信装置において、
第一の周波数を有する第一の発振周波数信号を発生する第一の発振器と、
前記第一の発振周波数信号を基準として、第二の周波数を有する第二の発振周波数信号を発生する第二の発振器と、
前記第二の発振周波数信号を使用して、シンボルクロック信号を発生するシンボルクロック回路と、
前記デジタルデータの受信を行わない場合に、所定期間の間、前記シンボルクロック回路への前記第二の発振周波数信号の供給を中断して前記シンボルクロック信号の発生を停止するとともに、前記所定期間内の、より短い予め定められた期間に亘って、前記第一の発振器及び第二の発振器の電源供給を停止するよう制御する制御部と、
前記デジタルデータ受信時でない場合には必要のない回路を有し、
前記シンボルクロック回路が、前記第二の発振周波数信号の供給が中断された際、前記シンボルクロック信号の位相の値を保持する第一のカウンタを有し、前記シンボルクロック回路への第二の発振周波数信号の供給が再開されたときに、前記シンボルクロック回路が、前記第一のカウンタに保持された位相の値を用いて、位相のずれを生じさせることなく前記シンボルクロック信号の発生を再開し、
前記制御部が、前記デジタルデータの受信を行わない場合に、所定期間の間、前記回路の電源供給を停止するよう制御することを特徴とする通信装置。
【請求項２】
請求項１において、前記通信装置が、携帯電話装置であることを特徴とする通信装置。
【請求項３】
無線によりデジタルデータの受信を行い、第一の周波数を有する第一の発振周波数信号を発生する第一の発振器と、前記第一の発振周波数信号を基準として、第二の周波数を有する第二の発振周波数信号を発生する第二の発振器と、前記第二の周波数を使用してシンボルクロック信号を発生するシンボルクロック回路とを有する通信装置内の回路の電源供給を制御する方法において、
前記第二の発振周波数信号の前記シンボルクロック回路への供給を、所定期間の間中断することによって、シンボルクロック信号の発生を中断させるステップと、
前記所定期間内の、より短い予め定められた期間に亘って、前記第一及び第二の発振器の電源供給を中断するステップと、
前記第二の発振周波数信号の前記シンボルクロック回路への供給が中断される際に、前記シンボルクロック信号の位相の値を保持するステップと、
前記所定期間が経過した際に、前記第二の発振周波数信号の前記シンボルクロック回路への供給を再開するステップと、
前記供給を再開する際に、前記保持されたシンボルクロック信号の位相の値を用いて、位相のずれを生じさせることなく前記シンボルクロック信号の発生を再開するステップと、
前記デジタルデータの受信を行わない場合に、前記所定期間の間、前記デジタルデータの受信時でない場合には必要でない回路の電源供給を中断するステップを有することを特徴とする制御方法。
【請求項４】
無線によりデジタルデータの受信を行い、第一の周波数を有する第一の発振周波数信号を発生する第一の発振器と、前記第一の発振周波数信号を基準として、第二の周波数を有する第二の発振周波数信号を発生する第二の発振器と、前記第二の周波数を使用してシンボルクロック信号を発生するシンボルクロック回路とを有する通信装置内の回路の電源供給を制御する方法を実現させるプログラムを記録したコンピュータ読み取り可能な記録媒体であって、前記プログラムは、
前記第二の発振周波数信号の前記シンボルクロック回路への供給を、所定期間の間中断することによって、シンボルクロック信号の発生を中断させるステップと、
前記所定期間内の、より短い予め定められた期間に亘って、前記第一及び第二の発振器の電源供給を中断するステップと、
前記第二の発振周波数信号の前記シンボルクロック回路への供給が中断される際に、前記シンボルクロック信号の位相の値を保持するステップと、
前記所定期間が経過した際に、前記第二の発振周波数信号の前記シンボルクロック回路への供給を再開するステップと、
前記供給を再開する際に、前記保持されたシンボルクロック信号の位相の値を用いて、位相のずれを生じさせることなく前記シンボルクロック信号の発生を再開するステップと、
前記デジタルデータの受信を行わない場合に、前記所定期間の間、前記デジタルデータの受信時でない場合には必要でない回路の電源供給を中断するステップを有することを特徴とするコンピュータ読み取り可能な記録媒体。
【発明の詳細な説明】
【０００１】
【発明の属する技術分野】
本発明は、遅延検波回路を含むデジタル復調回路に関し、特に、前記復調回路における消費電力を節約するための、シンボルタイミング保持回路に関する。
【０００２】
【従来の技術】
従来のデジタル携帯電話装置等においては、まず、アンテナによって信号が受信され、その受信された信号のうち必要な周波数の信号のみが選択され、更に、その選択された信号が復調される。復調された信号は音声信号に変換され、最終的に携帯電話等のレシーバ等から音声として出力される。
【０００３】
従来のデジタル携帯電話システムでは、変調方式として一般的にπ／４シフトＤＱＰＳＫが用いられている。また、このような変調方式によって生成された信号を復調する方式として、遅延検波方式が用いられることもある。
【０００４】
従来の遅延検波方式を使用した受信機は、位相検波回路、位相差検出回路、及びクロック再生回路によって構成されている。位相検波回路は、前記選択された信号とクロック再生回路が再生した（シンボル）クロック信号とから、前記選択された信号の位相を検出して位相信号を生成する。位相差検出回路は、前記位相信号をシンボルクロック信号のあるタイミングで保持し、次の位相信号を次のシンボルクロック信号のタイミングで取り込み、両方の位相信号の差を位相誤差信号として出力する。クロック再生回路は、前記位相信号からシンボルクロック信号を再生し、上述の通り、前記位相検波回路と位相差検出回路に供給する。
【０００５】
上記選択された信号は、シンボル点ごとに±π／４又は±３π／４だけ位相が変化しており、その変化からデジタル値が復調される。
【０００６】
同様の構成の復調装置は、「特開平６−６３９８」、「特開平６−２６１０８５」にも開示されている。
【０００７】
【発明が解決しようとする課題】
しかし、信号の復調を正確に行うためには、クロック再生回路の出力であるシンボルクロック信号が、上記選択された信号のシンボルタイミングに合致している必要がある。
【０００８】
従って、間欠受信方法によってデータを受信等する際に、必要なタイミング以外の期間に回路の電源供給を停止する場合は、その後で電源供給を開始した時に、シンボルクロック信号のタイミングが上記選択された信号のシンボルタイミングとずれることになる。このような場合は、クロック再生回路によって改めてタイミングの引き込み（シンボルクロック信号のタイミングと上記選択された信号のシンボルタイミングを一致させる調整）をするまでは、上記選択された信号を受信することが出来ない。
【０００９】
そのため、こうしたデジタル携帯電話等では、主要な回路の電源供給を止めている間でも、クロック再生回路だけは動作させておく必要がある。更に、シンボルクロック信号は、より周波数の高い復調用クロック信号を基に生成されるため、この復調用クロック信号も動作させておく必要がある。また更に、復調用クロック信号は、より周波数の高い基準周波数を基に生成されるため、この基準周波数の発振回路も動作させておく必要がある。
【００１０】
このように多くの回路を動作させたままにすることは、消費電流の増加をもたらすこととなる。発振回路は、周波数が高いほど消費電流が大きいので（従来の回路では、通常、基準周波数が１４．４ＭＨｚであり、復調用クロック信号が２．６８８ＭＨｚである）、上記復調用クロック信号や基準周波数信号の発振回路を動作させておくことは、とりわけ消費電流を増加させることになる。
【００１１】
携帯電話等の携帯型データ通信装置は、その性質上、長時間可搬性を有していることが条件とされるので、消費電流を少なくして、電池の寿命を延ばすことは重要な問題である。
【００１２】
従って、本発明は、消費電流を小さくして、電池を交換することなく長時間携帯可能な携帯電話装置を提供することを目的とする。
【００１３】
更に、本発明は、呼び出し信号を受けるタイミングを除いて回路の電源供給を止めることによって、待ち受け時における消費電流を少なくできる携帯電話装置を提供することを目的とする。
【００１４】
また更に、本発明は、非通話時における消費電力を低減できると共に、通話再開の際に、最適なシンボルクロック信号を迅速に発生できる携帯電話装置を提供することを目的とする。
【００１５】
本発明の他の目的は、デジタル携帯電話装置に使用され、通話再開時に、正確且つ迅速にシンボルクロック信号を発生できるシンボルタイミング保持回路を提供することである。
【００１６】
本発明の更に他の目的は、デジタル携帯電話装置等の通信装置における無線信号の間欠受信のために用いる時間を、低い周波数と高い周波数を使用することによって、消費電流を低減させながら精緻に求めることができる、時間計測手段を提供することである。
【００１７】
【課題を解決するための手段】
本発明の一実施形態によれば、無線によりデジタルデータの受信を行う通信装置において、第一の周波数を有する第一の発振周波数信号を発生する第一の発振器と、前記第一の発振周波数信号を基準として、第二の周波数を有する第二の発振周波数信号を発生する第二の発振器と、前記第二の発振周波数信号を使用して、シンボルクロック信号を発生するシンボルクロック回路と、前記デジタルデータの受信を行わない場合に、所定期間の間、前記シンボルクロック回路への前記第二の発振周波数信号の供給を中断して前記シンボルクロック信号の発生を停止するとともに、前記所定期間内の、より短い予め定められた期間に亘って、前記第一の発振器及び第二の発振器の電源供給を停止するよう制御する制御部とを有し、前記制御部が、前記デジタルデータの受信を行わない場合に、所定期間の間、前記デジタルデータ受信時でない場合には必要のない回路の電源供給を停止するよう制御し、前記シンボルクロック回路が、前記第二の発振周波数信号の供給が中断された際、前記シンボルクロック信号の位相の値を保持する第一のカウンタを有し、前記シンボルクロック回路への第二の発振周波数信号の供給が再開されたときに、前記シンボルクロック回路が、前記第一のカウンタに保持された位相の値を用いて、位相のずれを生じさせることなく前記シンボルクロック信号の発生を再開するよう構成される。
【００１８】
上記構成によって、非通話時に不要な回路の電源が遮断されるため、通信装置における消費電流を低減させることができると同時に、消費電流の低減のために一旦中断されたシンボルクロックが、位相のずれを生じさせることなく、必要なときに迅速に再開される。
【００２１】
本発明の更に別の実施態様によれば、前記通信装置が更に、前記第二の周波数より低い第三の周波数を有する第三の発振周波数信号を発生する第三の発振器と、前記第二の発振周波数信号の繰り返し回数と前記第三の発振周波数信号の繰り返し回数をカウントすることによって前記所定期間を計測するタイマー部を有するように構成される。
【００２２】
上記構成によって、シンボルクロック信号の発生の再開までの時間を、僅かな消費電流で正確に計測することができる。
【００２３】
【発明の実施の形態】
本発明に係るシンボルタイミング保持回路は、例えば、デジタル携帯電話装置のようなデジタル信号の復調に用いるシンボルクロック信号のタイミングの保持に利用することができる。このことを考慮して、ここでは、まず、デジタル携帯電話装置について説明する。
【００２４】
図１に示されたデジタル携帯電話装置は、アンテナ１０１、無線部１０２、復調部１０３、ＡＦＣ部１０４、クロック部１０５、音声処理部１０６、基準発振器１０８、制御部１０９、操作部１１０、表示部１１１、マイク１１２、及びレシーバ１１３より構成されている。
【００２５】
図１に示すデジタル携帯電話装置は、最初に、アンテナ１０１を介して受信された受信信号を無線部１０２に与える。次に、無線部１０２は、受信信号から受信対象の周波数を選択して、周波数変換を行い、更にその結果を増幅してＩＦ信号を生成し、それを復調部１０３に出力する。復調部１０３は、ＩＦ信号を復調して、制御部１０９に受信データを出力する。
【００２６】
デジタル携帯電話システムでは、変調方式として、π／４シフトＤＱＰＳＫが用いられており、その復調方式として、遅延検波方式と同期検波方式が用いられることが多い。前記復調部１０３は、遅延検波方式の復調回路を備えるものである。一般的な遅延検波方式の復調回路は、「特願平９−２６５６０７」に記載されている。
【００２７】
次に、制御部１０９は、復調部１０３からの受信データを処理し、音声処理部１０６に音声信号を出力する。音声処理部１０６は、前記音声信号をアナログ信号に変換し、レシーバ１１３に送信する。レシーバ１１３は、前記アナログ信号を受信すると、それに対応する音声を出力する。
【００２８】
一方、マイク１１２から入力された音声は、音声処理部１０６でデジタル信号に変換され、制御部１０９を経由した後、無線部１０２で変調され、予め定められた周波数の搬送波を使用してアンテナ１０１から送信される。当該送信処理は、本発明と直接関連しないため、これ以上の説明は省略する。
【００２９】
また、操作部１１０は、ユーザ・インタフェースを制御し、電話番号等、ユーザの指示内容を制御部１０９に渡す。表示部１１１は、着信電話番号等、各種表示を行う。
【００３０】
クロック部１０５は通常、時刻表示等の為のクロック信号を発生する。この信号はまた、本発明における間欠受信のための各構成要素の電源供給のタイミングの制御にも用いられる。
【００３１】
基準発振器１０８は、無線部１０２、制御部１０９、復調部１０３、及びクロック部で基準周波数として使用される、正確な周波数を発生する。この発振器１０８は、ＴＣＸＯ（温度制御のＸＡＴＬ発振器）であるため、発生する周波数は極めて正確である。
【００３２】
ＡＦＣ（自動周波数制御）部１０４は、受信した基地局の正確な周波数に合致するように、基準発振器１０８を制御する。
【００３３】
次に、図２を参照して、前記復調部１０３の詳細な構成について説明する。
【００３４】
復調部１０３に備えられた位相検出部１２１は、ＩＦ信号１２７、基準周波数（１４．４ＭＨｚ）１２８、及びシンボルクロック信号１３６を受け、シンボルクロック信号１３６のタイミングでＩＦ信号１２７の位相データ１２９を、データ再生部１２２、位相補正部１２３、及びクロック再生部１２４に出力する。ＩＦ信号１２７は、図１の無線部１０２から、基準周波数１２８は図１の基準周波数１０８から、シンボルクロック信号１３６はクロック再生部１２４からそれぞれ与えられる。
【００３５】
データ再生部１２２は、前記位相検出部１２１で得られた位相データ１２９を入力し、受信データ１３７を作成し、図１の制御部１０９に出力する。
【００３６】
位相補正部１２３は、入力した位相データ１２９に位相補正を加え、それを補正出力１３０として図１のＡＦＣ部１０４に出力する。
【００３７】
復調クロック部１２５はＰＬＬ回路構成であり、図１の基準発振器１０８からの基準周波数１２８を用いて、復調用クロック信号１３３（２．６８８ＭＨｚ）を、クロック再生部１２４及びタイマー部１２６に出力する。
【００３８】
クロック再生部１２４は、復調用クロック信号１３３を１２８分周して、シンボルクロック信号１３６（２１ｋＨｚ）を生成し、前記位相検出部１２１に供給する。クロック再生部１２４は更に、復調用クロック信号１３３を６４分周した、データ・クロック信号１３１（４２ｋＨｚ）を出力する。
【００３９】
また、クロック再生部１２４は、位相データ１２９の前半と後半のシンボル区間の位相移動量の差から、シンボルクロック信号１３６及びデータ・クロック信号１３１の位相タイミングを調整し、これらのタイミングをＩＦ信号１２７のシンボルタイミングに合致させる。
【００４０】
タイマー部１２６は、クロック信号１３４及び復調用クロック信号１３３をカウントして、制御部信号１３５で指定されたカウント数分の間隔で制御信号１３２を出力し、クロック再生部１２４内のカウンタへのクロック信号入力を制御する。
【００４１】
図２の復調部１０３を、図９に示された従来の復調部２０３と比較すると、図２に示された復調部１０３は、タイマー部１２６を有しており、そこからクロック再生部１２４に、制御信号１３２が出力されているところに大きな違いがある。
【００４２】
次に、図３を参照して、図２で示したクロック再生部１２４の説明を行う。
【００４３】
遅れ／進み検出部１４１は、位相検出部１２１からの位相データ１２９の値と、クロック再生部１２４内の加算器１４４で生成されるデータ・クロック信号１３１を入力し、シンボルクロック信号１３６で示されるシンボル区間の前半／後半に関してデータ・クロック信号１３１のタイミングで位相移動量の差を求め、それを進み／遅れ信号１４６としてＵＰ／ＤＯＷＮカウンタ１４２に出力する。
【００４４】
スイッチ（ＳＷ）１４５は、復調クロック部１２５からの復調用クロック信号１３３とタイマー部１２６からの制御信号１３２を入力し、前記制御信号１３２の値に従って、前記復調用クロック信号１３３のＵＰ／ＤＯＷＮカウンタ１４２及びカウンタ１４３への送信を制御する。
【００４５】
カウンタ１４３は、復調用クロック信号（２．６８８ＭＨｚ）をカウントする７ビットカウンタである。ＵＰ／ＤＯＷＮカウンタ１４２は、進み／遅れ信号１４６の指示に従って、復調用クロック信号のタイミングで加算又は減算されるカウンタである。
【００４６】
加算器１４４は、カウンタ１４３とＵＰ／ＤＯＷＮカウンタ１４２の出力を加算し、７ビットの値を出力する。７ビット目は、シンボルクロック信号１３６として、位相検出器１２１に供給される。６ビット目は、データ・クロック信号１３１として出力され、クロック再生部１２４内の遅れ／進み検出部１４１に再び戻されると同時に、制御部１０９に供給される。
【００４７】
図３のクロック再生部１２４を、図１０に示された従来のクロック再生部２２４と比較すると、クロック再生部１２４は、復調用クロック信号１３３と、カウンタ１４３及びＵＰ／ＤＯＷＮカウンタ１４２の間に、新たに、制御信号１３２で制御されるスイッチ（ＳＷ）１４５を有していることが分かる。
【００４８】
次に、図４を参照して、図２に示されたタイマー部１２６の詳細な構成を説明する。
【００４９】
カウンタ１５１は、図１に示されたクロック部１０５からのクロック信号１３４をクロック信号とするカウンタである。もう１つのカウンタ１５３は、復調クロック部１２５からの復調用クロック信号１３３をクロック信号とするカウンタである。
【００５０】
カウンタ１５１は、制御部１０９からの制御部信号１３５により、スタートする。
【００５１】
比較器１５２及び比較器１５４には、あらかじめ制御部１０９から制御信号１３５を介して、所定の値が設定される。
【００５２】
比較器１５２は、上述した制御部１０９により設定された値とカウンタ１５１の出力１５５の値が一致したことを検知すると、リセット信号１５７をカウンタ１５１に出力してカウンタ１５１の値を０にリセットすると共に、カウンタ１５１を停止させる。更に比較器１５２は、スタート信号１５６をカウンタ１５３に出力して、カウンタ１５３をスタートさせる。
【００５３】
比較器１５４は、上述した制御部１０９により設定された値とカウンタ１５３の出力１５７の値が一致したことを検知すると、リセット信号１５８をカウンタ１５３に出力し、カウンタ１５３の値を０にリセットすると共に、カウンタ１５３を停止させる。更に比較器１５４は、制御信号１３２をクロック再生部１２４に出力する。図３に関して述べたとおり、この制御信号１３２はクロック再生部１２４のスイッチ１４５に与えられ、復調用クロック信号のカウンタ１４３への入力を制御する。
【００５４】
また、制御部１０９によって、前記２つのカウンタに設定される値については、後で詳しく説明する。
【００５５】
次に、図５を参照してクロック部１０５の構成を詳細に説明する。
【００５６】
発振器１６１は、水晶発振子を用いた発振回路で３２．７６８ｋＨｚの周波数のクロック信号１３４を出力する。
【００５７】
カウンタ１６２は、クロック信号１３４をクロック信号として２７５２クロック分カウントする毎に出力１６５を、もう１つのカウンタ１６３に送出する。
【００５８】
カウンタ１６３は、図１の基準発振器１０８から基準周波数１２８（１４．４ＭＨｚ）を入力し、それを前記出力１６５のインターバル区間分カウントし、カウント結果を補正値１６４として、制御部１０９に出力する。
【００５９】
基準周波数１２８は、前述の通りきわめて正確である。また、ここでは詳細な説明を省略するが、ＡＦＣ部１０４が、復調部１０３から供給される補正出力を基に、基準発振器１０８による基準周波数１２８を基地局周波数に近づけている為、更に正確なものとなっている。
【００６０】
従って、発振器１６１の周波数に偏差が有った場合に補正値１６４の値によって偏差を把握できる。
【００６１】
ここで、図６を参照して、本発明の一実施形態のデジタル携帯電話装置の全体動作について説明する。
【００６２】
最初に、ステップＳ１０で、データ受信を行うにあたって、制御部１０９は、無線部１０２、基準発振器１０８、復調クロック部１２５等、必要な回路ブロック全ての電源を立ち上げる。
【００６３】
次に、ステップＳ１１で、データ受信が開始され、復調部１０３のクロック再生部１２４が、受信信号のシンボルタイミングに合致するようにシンボルクロック信号１３６のタイミングを調整する。
【００６４】
次に、ステップＳ１２で、制御部１０９が、タイマー部１２６内の比較器１５２と比較器１５４に設定する値を計算し、それぞれの値を前記比較器１５２と比較器１５４に設定する。これらの比較器の各値は、上述のように、比較器１５２に関しては、クロック信号１３４のカウントのストッパとして、比較器１５４に関しては、復調用クロック信号１３３のカウントのストッパとして機能し、全体で、ある一定の時間が経過したことを知らせるタイマーとして機能する。また、クロック信号１３４は、復調用クロック信号１３３に比べて非常に低い周波数であり、当該クロック信号１３４で、前記一定の時間のほとんどをカウントし、クロック信号１３４の１周期分以下となった残りの僅かな時間を、精度良く復調用クロック信号１３３でカウントする。
【００６５】
このことは、電流消費の少ない、周波数の低いクロック信号が長く動作し、電流消費の多い周波数の高いクロック信号が僅かだけ動作するため、消費電流の低減に効果的である。各値の求め方については、後で詳述する。
【００６６】
次に、ステップＳ１３で、制御部１０９が、比較器１５４を制御して制御信号１３２により、スイッチ１４５をＯＦＦにする。次に再びクロック再生部１２４の動作を再開するまでの時間を、例えば７１０ｍｓとする。この期間は、図７に関して後述する、デジタル携帯電話システム（ＰＤＣ）の３スロットＴＤＭＡにおける、１つの通信装置がデータの受信をする必要のない期間（７１３．３ｍｓ）から余裕時間を差し引いて設定した期間である。
【００６７】
カウンタ１４３には、復調用クロック信号１３３が入力されなくなるので、この時点のカウンタの値がそのまま保持される。カウンタ１４３の値は正の整数であり、通常１から１２８まで周期的に変化する。１から１２８までが、シンボルクロック信号の１周期分にあたる。スイッチ１４５がＯＦＦにされた時点の値を保持することにより、シンボルクロック信号を再開するときに、同じ位相で開始することができる。
【００６８】
次に、ステップＳ１４で、制御部１０９が、無線部１０２、基準発振器１０８、復調クロック部１２５の電源供給を停止させる。ここでは、フローを簡略化するために、各装置の電源供給の停止をステップＳ１４に纏めて記載したが、無線部１０２と他の装置は、厳密には異なるタイミングで処理される。無線部１０２は、スイッチ１４５のＯＦＦと同時に、即ち、データの受信が終了すると同時に不要となるので、このタイミングで電源が停止される。一方、基準発振器１０８、復調クロック部１２５の電源は、無線部１０２よりも遅れて停止される（以下のステップＳ１５より後の可能性もある）。基準発振器１０８に関しては、そこからの基準周波数信号が、データを受信した後で、そのデータの並べ替えや脱暗号化処理に使用されるためであり、復調クロック部１２５に関しては、当該クロックが、データを受信した後の他の装置のタイミング制御などに用いられるためである。
【００６９】
その後、ステップＳ１５において、制御部１０９は、カウンタ１５１でクロック信号１３４のカウントを開始する。ステップＳ１３からＳ１５までの各ステップは、説明の都合上、順次行われるように表されているが、これらの処理はほとんど同時に行われうることに注意しなければならない。
【００７０】
ステップＳ１６で、カウンタ１５１が比較器１５２に設定されている値−αと同じかどうか判定される。αは、カウンタ１５１が比較器１５２に設定されている値となったとき、次に動作するカウンタ１５３がすぐに機能できるように、基準発振器１０８や復調クロック部１２５を前もって起動しておくための余裕時間である。この時間は、言い換えれば、基準発振器１０８や復調クロック部１２５が、電源投入から安定に動作するようになるまでの時間であり、通常は、３ｍｓ程度である。
【００７１】
ステップＳ１６において、カウンタ１５１の値が比較器１５２の値−αと等しい場合、ステップＳ２２に進み、前述のように、基準発振器１０８及び復調クロック部１２５の電源供給が再開される。
【００７２】
ステップＳ１６の判定がＮＯである場合、ステップＳ１７において、カウンタ１５１が比較器１５２に設定されている値−βと同じかどうか判定される。βは、カウンタ１５１が比較器１５２に設定されている値となったとき、すぐに受信データの復調ができるように、無線部１０２を前もって起動しておくための余裕時間である。無線部１０２は、実際には後述するステップＳ２０で、カウンタ１５３が比較器１５４と等しくなるときに、正常に動作するように、前もって起動されることが必要であるので、本来は図６に示す第２のループ（ステップＳ１９とステップＳ２０からなるループ）内で判断されるべきものである。しかし、後述するように、カウンタ１５３でカウントされる時間は２．６μｓ程度で極めて短く、一方、無線部１０２が電源投入から安定に動作するようになるまでの時間は、約１００μｓである。従って、ここでは、無線部１０２の電源供給の再開は、図６に示す第１のループ（ステップＳ１５ないしステップＳ１８からなるループ）内で判定される。
【００７３】
また、こうした電源供給の再開を判断する時点は、将来的に、無線部１０２等の性能に応じて変動する可能性があるので、図６に示したフローチャートに厳密に制限されるものではない。
【００７４】
ステップＳ１７で、カウンタ１５１の値が比較器１５２の値−βと等しい場合、ステップＳ２３に進み、前述のように、無線部１０２の電源供給が再開される。
【００７５】
ステップＳ１７の判定がＮＯである場合、ステップＳ１８において更に、カウンタ１５１の値が比較器１５２の値と等しいか判定される。
【００７６】
ステップＳ１８で等しくない（ＮＯ）と判定された場合、ステップＳ１５に戻り、クロック信号１３４のカウントを繰り返す。
【００７７】
ステップＳ１８で等しい（ＹＥＳ）と判定された場合、ステップＳ１９に進み、カウンタ１５３を起動して復調用クロック信号１３３をカウントする。
【００７８】
次に、ステップＳ２０に進み、カウンタ１５３の値が比較器１５４の値と等しいか判定される。
【００７９】
等しくない場合、ステップＳ１９に戻り、復調用クロック信号１３３のカウントを繰り返す。等しい場合、ステップＳ２１に進み、スイッチ１４５をＯＮにし、カウンタ１４３が復調用クロック信号１３３のカウントを再開する。カウンタ１４３は、前述のとおり、スイッチ１４５がＯＦＦにされた７１０ｍｓ前の値を保持しているので、その値から続けてカウントが行われ、前と同じ位相でシンボルクロック信号１３６を出力できる。
【００８０】
次に、図７を参照して、本発明の一実施形態の通信装置で使用するタイムスロットについて説明する。前記通信装置は、日本のデジタル携帯電話システム（ＰＤＳ）での使用を前提としている。このシステムは３スロットＴＤＭＡを採用している。これは、図７に示すように、連続するスーパーフレーム内に（移動機番号毎に）第１群から第３６群を有し、そのそれぞれの群は３つのスロットを有する。また、ここで、１スロットの長さは２０／３ｍｓ（以下６．７ｍｓと略記する）である。従って、１つの群は３つのスロット分、即ち２０／３×３＝２０ｍｓの長さであり、１つのスーパーフレームは３６の群、即ち２０×３６＝７２０ｍｓの長さである。
【００８１】
この１つのスロットの期間が、ある通信装置の呼び出し信号の受信に割り当てられており、従って、その１つの通信装置に割り当てられる呼び出し信号の受信スロットは、７２０ｍｓの間隔で繰り返される。このスロット以外の時間（７２０−６．７＝７１３．３ｍｓ）には、その通信装置が呼び出されることはないので、受信に関する装置の電源をＯＦＦにしておくことが可能となるのである。
【００８２】
本明細書では、３スロットＴＤＭＡへの適用を例として本発明の実施形態を説明しているが、上記のように、一定あるいは規則的な間隔で通信装置に対する信号の送受信が約束されている間欠受信方式であれば、他の通信方法でも本発明を応用することが可能である。
【００８３】
次に、図８を参照して、図６で説明した全体フローのタイミングを説明する。
【００８４】
図８は、無線部１０２、基準発振器１０８、及び復調クロック部１２５の電源のオン／オフ、カウンタ１５１及び１５３の動作の有無、及びクロック再生部１２４のスイッチ１４５のオン／オフをそれぞれ時系列に表したものである。この例では、データ受信タイミングは、最初のＡと、その直後のＢについて示されており、その期間はいずれも６．７ｍｓである。２つのデータ受信タイミングＡ、Ｂの開始時の間隔は、７２０ｍｓである。
【００８５】
図７に関して説明したように、本発明の一実施形態の通信装置は、このデータ受信タイミングＡ、Ｂの間で、データの受信を行っていない期間内に（７１３．３ｍｓ）、できるだけ不要な回路の電源を停止させようと言うものである。
【００８６】
図６の各ステップに対応させて、図８のタイミングチャートを説明する。図６のステップＳ１３は、スイッチ１４５に関する最初の立ち下がりに対応する。図６のステップＳ１０からＳ１２は、それ以前に行われており、この時点で最初のデータ受信タイミングＡも終了する。
【００８７】
図６のステップＳ１４は、図８における、無線部１０２、基準発振器１０８、及び復調クロック部１２５のそれぞれの最初の立ち下がりに対応する。図６に関して説明したように、無線部１０２の電源が停止された少し後に、基準発振器１０８と復調クロック部１２５の電源が停止される。
【００８８】
ステップＳ１５において、カウンタ１５１が起動されるが、これは、図８に関しては、カウント１５１の最初の立ち上がりの時点である。ここから、クロック信号１３４のカウントが開始される。
【００８９】
図６のステップＳ１９でカウンタ１５３のカウントが開始される時点は、図８では、カウンタ１５３の２度目の立ち上がりである。このとき同時に、カウンタ１５１の動作が停止しているのが分かる。また、この時点以前に図６のステップＳ２２及びＳ２３によって、基準発振器１０８、及び復調クロック部１２５、及び無線部１０２の電源が投入されていることも分かる。
【００９０】
図６のステップＳ２１で、受信データの復調の準備ができるのは、図８における、カウンタ１５３の２度目の立ち下がりの時点である。このとき同時にスイッチ１４５がオンにされているのが分かる。
【００９１】
この例では、データ受信タイミングＡの終了時から再びデータ受信が可能となる中断時間は７１０ｍｓに設定されているが、この場合、受信可能となってからデータ受信タイミングＢの開始時点まで、実際には、７２０−７１０−６．７＝３．３ｍｓの余裕時間がある。この余裕時間は、各構成要素の起動動作時間のぶれ等を考慮したものであるが、これらの問題を解決すれば、余裕時間をより０ｍｓに近づけることが可能である。ただし、その場合でも、前記中断時間は、シンボルタイミングの周波数（２１ｋＨｚ）の整数倍であることが条件となる。
【００９２】
次に、図６のステップＳ１２の処理内容、即ちタイマー部１２６内の比較器１５２、１５４に設定する値を求める手順について詳細に説明する。
【００９３】
最初に、制御部１０９は、クロック部１０５から補正値１６４を読み出す。クロック信号１３４が正確な周波数、即ち３２．７６８ｋＨｚであれば、補正値１６４の数字は、２，７５２×１４，４００，０００／３２，７６８＝１，２０９，３７５となる。ここで、読み出した補正値１６４の値をＨとする。
【００９４】
次に、クロック信号１３４の偏差を計算する。クロック部１０５の補正値１６４を出力する原理（時計補正回路の原理）より、偏差Ｘ（ｐｐｍ）＝−１×（Ｈ−１，２０９，３７５）×（１００／１２０）である。従って、クロック信号１３４の周波数Ｆ１（ｋＨｚ）＝３２．７６８×（１＋Ｘ／１，０００，０００）である。通常、３２．７６８ｋＨｚのクロック信号は偏差が比較的大きく、このような偏差を考慮することは、非常に重要な要素である。
【００９５】
シンボルクロック信号１３６を任意の位相θの時に止め、ある時間後に同じ位相で復活させるには、位相θの時点のカウンタ（クロック再生部１２４のカウンタ１４３）の値を保持し、その後正確にｎ周期後のタイミングで、カウンタ１４３を再度動作させなければならない。従って、クロック再生部１２４の動作保持時間は、シンボルクロック１３６の周波数（２１ｋＨｚ）のちょうどｎ倍である必要がある。この場合、動作保持時間を７１０ｍｓとしているが、これは、ｎｄ＝７１０ｍｓ／（１／２１ｋＨｚ）＝１４，９１０となって割りきれ、ｎ＝１４，９１０、Ｔ＝７１０ｍｓとなる。
【００９６】
次に、このＴなる時間を、３２．７６８ｋＨｚのクロック信号１３４のｎ１周期分（＝Ｔ１）と、２．６８８ＭＨｚの復調用クロック信号１３３のｎ２周期分（＝Ｔ２）で表すことを考える。即ちＴ＝Ｔ１＋Ｔ２となる。
【００９７】
３２．７６８ｋＨｚのクロック信号１３４でのカウント値は、ｎ１ｄ＝７１０ｍｓ／（１／Ｆ１）である。ここで、Ｈ＝１，２０９，３６５であるとすると、Ｘ＝−１×（１，２０９，３６５−１，２０９，３７５）×（１００／１２０）＝８．３３３３３３ｐｐｍとなる。
【００９８】
Ｆ１＝３２．７６８×（１＋８．３３３３３３／１，０００，０００）＝３２．７６７７２６９３ｋＨｚであり、ｎ１ｄ＝７１０ｍｓ／（１／Ｆ１）＝７１０ｍｓ×Ｆ１＝７１０ｘ３２．７８７７２６９３＝２３，２６５．０８６１２である。
【００９９】
ｎ１ｄの小数点以下を切り捨てて、ｎ１＝２３，２６５とすると、Ｔ１＝ｎ１ｘ（１／３２．７６７７２６９３）＝７０９．９９７３７１８ｍｓとなる。
【０１００】
残り時間は、Ｔ２＝７１０−７０９．９９７３７１８＝０．００２６２８２ｍｓである。ここから、２．６８８ＭＨｚの復調用クロック信号１３３でのカウント値は、ｎ２ｄ＝０．００２６２８２ｍｓ／（１／２，６８８ｋＨｚ）＝７．０６となる。ｎ２ｄの小数点以下を切り捨てて、ｎ２＝７である。
【０１０１】
以上の計算より、Ｔ１とＴ２が求められる。Ｔは、２種類の周波数のクロック信号を利用して構成されるため、Ｔ１＋Ｔ２が正確なＴの値とはならない場合も考えられる。しかし、シンボルクロック信号１周期分の３／１２８、即ち（１／２１ｋＨｚ）×（３／１２８）＝１．１μｓまでは、データ復調を行う上で許されるシンボル点時間誤差の範囲内であるという設計をしてあるような場合には、当該誤差は問題とならない。なぜなら、Ｔを表すために、２．６８８ＭＨｚの復調用クロック信号１３３を使用しているため、誤差は、１／２．６８８ＭＨｚ＝０．３７μｓ以下となるからである。
【０１０２】
最終的に、比較器１５２の設定値は、２３２，３６５、比較器１５４の設定値は、７と求められる。
【０１０３】
【発明の効果】
本発明によれば、必要なデータを受信するタイミング以外のところで、無線部１０２、基準発振器１０８、復調部１０３の供給電源を停止することが可能であるので、消費電流を低減できる。
【０１０４】
更に、本発明によれば、上記電源供給を停止している際に、一番周波数の低いクロック信号のみを動作させる構造をとることができるので、消費電流をより低減できる。
【０１０５】
また更に、本発明によれば、再び電源を供給する場合に、シンボルクロック信号の位相がずれないように、複数のカウンタを設けて、最適なシンボルクロック信号を再現できる。
【０１０６】
また更に、本発明によれば、無線信号の間欠受信のために用いる時間を、低い周波数と高い周波数を利用することによって、消費電流を低減させながら精緻に求めることができる。
【図面の簡単な説明】
【図１】本発明のデジタル携帯電話の構成を示すブロック図である。
【図２】図１で示された復調部１０３の詳細な構成を表すブロック図である。
【図３】図２で示されたクロック再生部１２４の詳細な構成を表すブロック図である。
【図４】図２で示されたタイマー部１２６の詳細な構成を表すブロック図である。
【図５】図１で示されたクロック部１０５の詳細な構成を表すブロック図である。
【図６】本発明の一実施形態のデジタル携帯電話装置の全体の動作を示すフローチャートである。
【図７】３スロットＴＤＭＡで用いられるスロットの構成を示す図である。
【図８】本発明の一実施形態のデジタル携帯電話装置の一部の動作タイミングを示すチャートである。
【図９】従来の復調部２０３の詳細な構成を表すブロック図である。
【図１０】従来のクロック再生部２２４の詳細な構成を表すブロック図である。
【符号の説明】
１０１  アンテナ
１０２  無線部
１０３  復調部
１０４  ＡＦＣ部
１０５  クロック部
１０６  音声処理部
１０８  基準発振器
１０９  制御部
１１０  操作部
１１１  表示部
１１２  マイク
１１３  レシーバ
１２１  位相検出部
１２２  データ再生部
１２３  位相補正部
１２４  クロック再生部
１２５  復調クロック部
１２６  タイマー部
【図１】
0003560489.tif 000002
【図２】
0003560489.tif 000003
【図３】
0003560489.tif 000004
【図４】
0003560489.tif 000005
【図５】
0003560489.tif 000006
【図６】
0003560489.tif 000007
【図７】
0003560489.tif 000008
【図８】
0003560489.tif 000009
【図９】
0003560489.tif 000010
【図１０】
0003560489.tif 000011